(57)【要約】      （修正有）【課題】尿石付着防止剤の使用可能期間が変動するのを極力防止することのできる尿石付着防止剤等の徐溶性薬剤用収納器を提供することを課題とする。【解決手段】相互に嵌合可能な上部ホルダー１と下部ホルダー２とからなり、該上部ホルダー１と下部ホルダー２とが嵌合された状態で、尿石付着防止剤等の有形状の徐溶性薬剤が収納可能であり、且つ尿、洗浄水等の液分が流入可能であるとともに、流入した液分により前記有形状の徐溶性薬剤が溶解した際に、溶解した徐溶性薬剤が流出しうるような開口部が、前記上部ホルダー１と下部ホルダー２とにそれぞれ形成され、しかも前記相互に嵌合された上部ホルダー１と下部ホルダー２のいずれか一方を他方に対して回転させることにより、前記開口部の総開口面積が調節可能に構成されている。【選択図】図１０
0003107661.tif 000002
【実用新案登録請求の範囲】
【請求項１】
相互に嵌合可能な上部ホルダー（１）と下部ホルダー（２）とからなり、該上部ホルダー（１）と下部ホルダー（２）とが嵌合された状態で、尿石付着防止剤（１３）等の有形状の徐溶性薬剤が収納可能であり、且つ尿、洗浄水等の液分が流入可能であるとともに、流入した液分により前記有形状の徐溶性薬剤が溶解した際に、溶解した徐溶性薬剤が流出しうるような開口部が、前記上部ホルダー（１）と下部ホルダー（２）とにそれぞれ形成され、しかも前記相互に嵌合された上部ホルダー（１）と下部ホルダー（２）のいずれか一方を他方に対して回転させることにより、前記開口部の総開口面積が調節可能に構成されていることを特徴とする尿石付着防止剤等の徐溶性薬剤用収納器。
【請求項２】
上部ホルダー（１）に形成された開口部の一部と、下部ホルダー（２）に形成された開口部の一部とが、該上部ホルダー（１）と下部ホルダー（２）とが嵌合された状態で連通可能であり、且つ該上部ホルダー（１）と下部ホルダー（２）のいずれか一方を他方に対して回転させるにつれて、前記上部ホルダー（１）の開口部と下部ホルダー（２）の開口部とが連通する開口面積が変動しうるとともに、前記上部ホルダー（１）と下部ホルダー（２）のいずれか一方を他方に対して所定角度回転したときに、上部ホルダー（１）の開口部と下部ホルダー（２）の開口部が閉塞されうるように構成されている請求項１記載の尿石付着防止剤等の徐溶性薬剤用収納器。
【請求項３】
上部ホルダー（１）と下部ホルダー（２）とが嵌合された状態で連通する開口部が、前記上部ホルダー（１）の周面部（４）に形成されたスリット（９）と、前記下部ホルダー（２）の周面部（６）に形成されたスリット（１２）である請求項２記載の尿石付着防止剤等の徐溶性薬剤用収納器。
【請求項４】
上部ホルダー（１）が上面部（３）と周面部（４）とで構成され、下部ホルダー（２）が底面部（５）と周面部（６）とで構成されている請求項１乃至３のいずれかに記載の尿石付着防止剤等の徐溶性薬剤用収納器。
【請求項５】
上部ホルダー（１）の上面部（３）と、下部ホルダー（２）の周面部（６）とには、該上部ホルダー（１）と下部ホルダー（２）とが嵌合された状態で連通することのないスリット（８）、（１１）、及び孔（７）、（１０）がそれぞれ形成されている請求項４記載の尿石付着防止剤等の徐溶性薬剤用収納器。
【考案の詳細な説明】
【技術分野】
【０００１】
本考案は、徐溶性薬剤用収納器、主として男子用小便器の排水部分に尿石が付着するのを防止する尿石付着防止剤等の徐溶性薬剤を収納して、小便器の排水部分にに設置するための収納器に関する。
【背景技術】
【０００２】
一般に、男子用小便器の下部排水部には目皿と称される器具が設置され、その目皿が設置された排水部から尿が排出されることとなる。このような小便器には、付着した尿から尿中の成分であるカルシウムやリン等の塩類が析出凝固して、尿石となって付着、固化するが、特に上記のような排水部に付着した尿石を除去するのは、清掃等によっても容易ではない。このような清掃等によっても除去し難い小便器の排水部に付着した尿石をそのまま放置しておくと、クラックにより便器を破損させるおそれがあるため、速やかに除去する必要がある。
【０００３】
このような尿石除去の手段として、たとえば塩酸やスルファミン酸等の強酸からなる薬剤が用いられることがあるが、使用時の取り扱いや作業環境の安全性の面で問題があり、またこれらの酸類は、便器排水部の下部に金属製の配管が存在する場合には、その配管を腐食させ、さらに、有毒ガスの発生等、人体に悪影響を及ぼすおそれがあるだけでなく、地球環境破壊の観点からも好ましくない。
【０００４】
そこで、積極的に尿石を除去するというよりも、尿石の付着を未然に防止するという観点から、固形やゲル等の有形状の尿石付着防止剤が、上記のような男子用小便器の目皿の上部に設置されることがある。
【０００５】
このような有形状の尿石付着防止剤は、尿や洗浄水等の液分により徐々に溶解して目皿の周辺部や、便器の下部の排水部分における尿石の付着を防止するものであるが、有形状で徐溶性のものである故に、一旦設置されると、溶解して消失するまでにはある程度の期間を要するので、少なくともその期間は持続して使用されることとなる。
【０００６】
しかしながら、溶解して消失するまでの尿石付着防止剤の使用可能期間は、条件によって変動することがある。その条件による変動の１つは、便器の洗浄水として用いられる水の温度が季節によって変動することである。水温が高ければ、その分、尿石付着防止剤の溶解の速度が速くなるので、夏場は冬場に比べて使用可能期間も短くなる。
【０００７】
また他の条件による変動として、尿石付着防止剤が設置される便器の位置によって使用可能期間が変動することが挙げられる。上述のような男子用小便器は、近年の一般家庭の家屋においてはほとんど設置されなくなり、公園、鉄道の駅や車両の内部、映画館、高速道路の休憩所等、公衆の場において専ら使用されているのが現状である。そのような公衆便所においては、当然のことながら男子用小便器は複数設置されているが、たとえば公衆便所の入り口に近い便器は、入り口から遠い便器に比べると、使用頻度が高いという傾向がある。使用頻度が高いと、その分、洗浄水等が多く使用されるのであるから、使用可能期間も短くなる。
【０００８】
このように同じ尿石付着防止剤を用いながら、条件によって使用可能期間が変動するのは、尿石付着防止剤の使用者にとっては本来好ましいことではない。特に、このような公衆便所の男子用小便器に設置される尿石付着防止剤は、一般消費者が購入、使用するのではなく、業務用として取扱業者の販路の下に使用、設置されることから、設置された尿石付着防止剤が使用されて消耗した後は、その取扱業者の販路の下で新たなものと交換される。従って、使用可能期間が変動することは、このような取扱業者の営業上の利益にも影響することとなる。
【考案の開示】
【考案が解決しようとする課題】
【０００９】
本考案は、このような問題点を解決するためになされたもので、上述のような条件の変更により、尿石付着防止剤の使用可能期間が変動するのを極力防止することのできる尿石付着防止剤等の徐溶性薬剤用収納器を提供することを課題とする。
【課題を解決するための手段】
【００１０】
本考案は、このような課題を解決するためになされたもので、請求項１記載の考案は、相互に嵌合可能な上部ホルダー１と下部ホルダー２とからなり、該上部ホルダー１と下部ホルダー２とが嵌合された状態で、尿石付着防止剤等の有形状の徐溶性薬剤が収納可能であり、且つ尿、洗浄水等の液分が流入可能であるとともに、流入した液分により前記有形状の徐溶性薬剤が溶解した際に、溶解した徐溶性薬剤が流出しうるような開口部が、前記上部ホルダー１と下部ホルダー２とにそれぞれ形成され、しかも前記相互に嵌合された上部ホルダー１と下部ホルダー２のいずれか一方を他方に対して回転させることにより、前記開口部の総開口面積が調節可能に構成されていることを特徴とする。
【００１１】
また請求項２記載の考案は、請求項１記載の尿石付着防止剤等の徐溶性薬剤用収納器において、上部ホルダー１に形成された開口部の一部と、下部ホルダー２に形成された開口部の一部とが、該上部ホルダー１と下部ホルダー２とが嵌合された状態で連通可能であり、且つ該上部ホルダー１と下部ホルダー２のいずれか一方を他方に対して回転させるにつれて、前記上部ホルダー１の開口部と下部ホルダー２の開口部とが連通する開口面積が変動しうるとともに、前記上部ホルダー１と下部ホルダー２のいずれか一方を他方に対して所定角度回転したときに、上部ホルダー１の開口部と下部ホルダー２の開口部が閉塞されうるように構成されていることを特徴とする。
【００１２】
さらに請求項３記載の考案は、請求項２記載の尿石付着防止剤等の徐溶性薬剤用収納器において、上部ホルダー１と下部ホルダー２とが嵌合された状態で連通する開口部が、前記上部ホルダー１の周面部４に形成されたスリット９と、前記下部ホルダー２の周面部６に形成されたスリット１２であることを特徴とする。
【００１３】
さらに請求項４記載の考案は、請求項１乃至３のいずれかに記載の尿石付着防止剤等の徐溶性薬剤用収納器において、上部ホルダー１が上面部３と周面部４とで構成され、下部ホルダー２が底面部５と周面部６とで構成されていることを特徴とする。
【００１４】
さらに請求項５記載の考案は、請求項４記載の尿石付着防止剤等の徐溶性薬剤用収納器において、上部ホルダー１の上面部３と、下部ホルダー２の周面部６とには、該上部ホルダー１と下部ホルダー２とが嵌合された状態で連通することのないスリット８、１１、及び孔７、１０がそれぞれ形成されていることを特徴とする。
【考案の効果】
【００１５】
本考案の尿石付着防止剤等の徐溶性薬剤用収納器は、上述のように相互に嵌合可能な上部ホルダーと下部ホルダーとからなり、該上部ホルダーと下部ホルダーとが嵌合された状態で、尿石付着防止剤等の有形状の徐溶性薬剤が収納可能であり、且つ尿、洗浄水等の液分が流入可能であるとともに、流入した液分により前記有形状の徐溶性薬剤が溶解した際に、溶解した徐溶性薬剤が流出しうるような開口部が、前記上部ホルダーと下部ホルダーとにそれぞれ形成され、しかも前記相互に嵌合された上部ホルダーと下部ホルダーのいずれか一方を他方に対して回転させることにより、前記開口部の総開口面積が調節可能に構成されているものであるため、その開口部の総開口面積が最大となるときに、収納器内への尿、洗浄水等の液分の流入、及び流入した液分により溶解した徐溶性薬剤の、収納器からの流出が最も多くなり、その分、徐溶性薬剤の消耗時間が最も短くなり、一方、開口部の総開口面積が最小となるときに、収納器内への尿、洗浄水等の液分の流入、及び溶解した徐溶性薬剤の収納器からの流出が最も制限されることとなり、その分、徐溶性薬剤の消耗時間が最も長くなる等、上記のように前記開口部の総開口面積を調節することで、徐溶性薬剤の消耗時間を調節することができる。
【００１６】
従って、溶解して消失するまでの尿石付着防止剤の使用可能期間を上述のように調節できるので、たとえば水温の高い夏場は尿石付着防止剤が溶解し易いので、上記開口部の総開口面積を最小とし、水温の低い冬場は尿石付着防止剤が溶解しにくいので、上記開口部の総開口面積を最大とする等、季節によって変動し易い尿石付着防止剤の消耗時間を、上記のように開口部の総開口面積を調節することで、極力変動しないようにすることができる。
【００１７】
また、たとえば公衆便所の入り口に近い便器ほど使用頻度が高いという統計的傾向から、入り口に近い便器に設置する収納器の開口部の総開口面積を小さくし、入り口から遠い便器に設置する収納器の開口部の総開口面積を大きくする等、尿石付着防止剤を収納した収納器が設置される公衆便所の便器の位置によって、尿石付着防止剤の消耗時間が極力変動しないようにすることもできる。
【００１８】
さらに、上部ホルダーに形成された開口部の一部と、下部ホルダーに形成された開口部の一部とが、該上部ホルダーと下部ホルダーとが嵌合された状態で連通可能であり、且つ該上部ホルダーと下部ホルダーのいずれか一方を他方に対して回転させるにつれて、前記上部ホルダーの開口部と下部ホルダーの開口部とが連通する開口面積が変動しうるとともに、前記上部ホルダーと下部ホルダーのいずれか一方を他方に対して所定角度回転したときに、上部ホルダーの開口部と下部ホルダーの開口部が閉塞されうるように構成した場合には、簡易な構造で上述のような開口部の総開口面積の調節機構を実現することができる。
【００１９】
また、上部ホルダーと下部ホルダーとが嵌合された状態で連通する開口部が、前記上部ホルダーの周面部に形成されたスリットと、前記下部ホルダーの周面部に形成されたスリットである場合には、上部ホルダーと下部ホルダーのいずれか一方を他方に対して回転することで、連通する開口部の開口面積の調節も容易に行なうことができる。
【００２０】
さらに上部ホルダーと下部ホルダーとが嵌合された状態で連通することのない開口部を、それぞれ上部ホルダーと下部ホルダーとに形成することで、上記開口部の開口面積が最小となるように調節されたとしても、尿、洗浄水等の液分の流入や、流入した液分により溶解した徐溶性薬剤の流出が、何ら制限されることもない。
【考案を実施するための最良の形態】
【００２１】
以下、本考案の実施形態について説明する。
【００２２】
本実施形態の尿石付着防止剤用の収納器は、図１乃至図１０に示すように、相互に嵌合可能な上部ホルダー１と下部ホルダー２とで構成され、該上部ホルダー１と下部ホルダー２とが嵌合された状態で、ゲル状の尿石付着防止剤１４が収納可能な大きさに形成されている。
【００２３】
上部ホルダー１は、図１に示すように、平面円形状の上面部３と該上面部３から立ち下がり形成された周面部４とからなり、下面側が開口面とされている。また、下部ホルダー２とは、図２に示すように、平面円形状の底面部５と該底面部５から立ち上がり形成された周面部６とからなり、上面側が開口面とされている。そして、上部ホルダー１及び下部ホルダー２ともに全体が合成樹脂で構成されている。
【００２４】
上部ホルダー１の上面部３の中央には、図１に示すように、円形の孔７が穿設され、該孔７の周囲には、湾曲した細長い楔形状の多数のスリット８が穿設されている。また上部ホルダー１の周面部４には、細長い長方形状の多数のスリット９が穿設されている。
【００２５】
一方、下部ホルダー２の底面部５の中央には、図２に示すように、円形の孔１０が穿設され、該孔１０の周囲には、湾曲した細長い楔形状の多数のスリット１１が穿設されている。また下部ホルダー２の周面部６には、細長い長方形状の多数のスリット１２が穿設されている。
【００２６】
図３乃至図９は、上部ホルダー１を下部ホルダー２に嵌合した状態を示しており、同図に示すように、上部ホルダー１の周面部４が下部ホルダー２の周面部６の外側に位置しており、図３乃至図９においては、それぞれの周面部４、６に形成されたスリット９、１２が連通した状態とされている。
【００２７】
図１０は、上部ホルダー１、下部ホルダー２、尿石付着防止剤１４を分解して示す斜視図であり、同図に示すような略円錐台形状のゲル状の尿石付着防止剤１４が、上部ホルダー１と下部ホルダー２間に収納されて保持されることとなる。より具体的には、下部ホルダー２に尿石付着防止剤１４が収納され、下部ホルダー２に上部ホルダー１が外嵌されることで、尿石付着防止剤１４が保持されるのである。図３乃至図９には示されていないが、実際には下部ホルダー２に上部ホルダー１が外嵌された際には、尿石付着防止剤１４が収納された状態となっている。
【００２８】
そして、このような嵌合状態において、上部ホルダー１は下部ホルダー２に単に外嵌されただけの状態であるので、上部ホルダー１は下部ホルダー２に対して回転可能となる。      
【００２９】
上述のように、図３乃至図９では、上部ホルダー１の周面部４のスリット９と、下部ホルダー２の周面部６のスリット１２とが完全に連通した状態となるように、上部ホルダー１が下部ホルダー２に外嵌されている。この状態では、上部ホルダー１が下部ホルダー２に外嵌された収納器の、各スリットや孔によって形成される開口部の総開口面積が最大となっている。
【００３０】
ここで、上部ホルダー１の上面部３と下部ホルダー２の底面部５においては、該上部ホルダー１と下部ホルダー２との嵌合時においても重なりが生じることがないため、上部ホルダー１の上面部３における孔７とスリット８、及び下部ホルダー２の底面部５における孔１０とスリット１１の総開口面積は、前記上部ホルダー１と下部ホルダー２とを嵌合して上部ホルダー１を下部ホルダー２に対して回転させても、何ら変動することがない。
【００３１】
従って、収納器に形成されているスリットや孔で形成される開口部の総開口面積は、上部ホルダー１の周面部４と下部ホルダー２の周面部６との重なり状態の調整による上部ホルダー１のスリット９と下部ホルダー２のスリット１２との連通部分の開口面積のみに依存して変動することとなる。
【００３２】
次に、この状態から上部ホルダー１を少しずつ回転させると、上部ホルダー１の周面部４と下部ホルダー２の周面部６とに少しずつ重なりが生じ、それによって上部ホルダー１のスリット９と下部ホルダー２のスリット１２との連通部分の開口面積が徐々に小さくなる。
【００３３】
そして、所定角度回転させると、図１１及び図１２に示すように、上部ホルダー１の周面部４で下部ホルダー２のスリット１２が完全に閉塞され、上部ホルダー１のスリット９と下部ホルダー２のスリット１２が連通せず、全く開口されていない状態とされる。このときでも、同図に示すように、上部ホルダー１の孔７とスリット８、及び下部ホルダー２の孔１０とスリット１１は開口したままの状態であるが、上述のようにスリット９、１２が閉塞されているので、収納器の開口部の総開口面積が最小となる。
【００３４】
このような上部ホルダー１の回転を、微調整しつつ行うことによって、上部ホルダー１の周面部４と下部ホルダー２の周面部６との重なり状態を調整することで、上部ホルダー１のスリット９と下部ホルダー２のスリット１２とが連通することによりスリット９、１２の相互間で形成される開口面積を調整することができる。
【００３５】
上記構成からなる尿石付着防止剤用収納器１３は、上部ホルダー１と下部ホルダー２とが嵌合され、その嵌合された上部ホルダー１と下部ホルダー２間に尿石付着防止剤１４が収納された状態で、図１３に示すように男子用小便器１５の目皿の上部に設置して使用して使用される。
【００３６】
この場合において、尿や洗浄水等の液分は、主として上部ホルダー１の上面部３における孔７とスリット８から収納器内に流入し、流入した液分によって収納器内の尿石付着防止剤が徐々に溶解することとなる。そして、溶解した尿石付着防止剤は、液分となって尿や洗浄水等とともに、主として下部ホルダー２の孔１０やスリット１１から流出する。
【００３７】
また、上部ホルダー１の周面部４のスリット９と、下部ホルダー２の周面部６のスリット１２からは、上記尿や洗浄水等の液分の流入と、これらの液分及び溶解した尿石付着防止剤の液分の流出との双方が行われる。
【００３８】
この結果、上記図３乃至図９に示すように、上部ホルダー１のスリット９と下部ホルダー２のスリット１２とが完全に連通した状態のときに、収納器１３の開口部の総開口面積が最大となり、その状態で収納器１３を男子用小便器１５の目皿部分に設置して使用した場合、尿や洗浄水等の液分の流入と、これらの液分及び溶解した尿石付着防止剤の液分の流出とが最もスムーズに行われることとなり、その分、尿石付着防止剤の溶解速度もやや速くなるため、尿石付着防止剤の消耗時間が最も短くなる。
【００３９】
一方、この状態から、上部ホルダー１をわずかに回転して、図１１及び図１２のように上部ホルダー１の周面部４で下部ホルダー２のスリット１２を完全に閉塞し、上部ホルダー１のスリット９と下部ホルダー２のスリット１２が連通せず、全く開口されていない状態としたときに、収納器１３の開口部の総開口面積が最小となる。この状態で収納器１３を男子用小便器１５の目皿部分に設置して使用した場合、尿や洗浄水等の液分の流入と、これらの液分及び溶解した尿石付着防止剤の液分の流出とが、上部ホルダー１の周面部４と下部ホルダー２の周面部６との重なり部分においては制限されることとなるため、その分、尿石付着防止剤の溶解速度もやや遅くなり、尿石付着防止剤の消耗時間が最も長くなる。
【００４０】
このように上部ホルダー１の回転を、微調整しつつ行うことによって、上部ホルダー１の周面部４と下部ホルダー２の周面部６との重なり状態を調整することで、上部ホルダー１のスリット９と下部ホルダー２のスリット１２とが連通することによりスリット９、１２の相互間で形成される開口面積を調整することができるので、尿石付着防止剤の消耗時間を調整することが可能となるのである。
【００４１】
従って、たとえば水温の高い夏場は尿石付着防止剤が溶解し易いので、上記スリット９、１２が連通しないよう閉塞して収納器の開口部の総開口面積を最小とし、水温の低い冬場は尿石付着防止剤が溶解しにくいので、スリット９、１２を完全に連通させて上記開口部の総開口面積を最大とする等、季節によって変動し易い尿石付着防止剤の消耗時間を、上記のように開口部の総開口面積を調節することで極力変動しないようにすることができる。
【００４２】
また、たとえば公衆便所の入り口に近い便器は比較的頻繁に使用されるので、入り口に近い便器に設置する収納器では、上記スリット９、１２が連通しないよう閉塞して開口部の総開口面積を小さくし、入り口から遠い便器に設置する収納器では、スリット９、１２を完全に連通させて開口部の総開口面積を大きくする等、尿石付着防止剤を収納した収納器が設置される公衆便所の便器の位置によって、尿石付着防止剤の消耗時間が極力変動しないようにすることもできる。
【００４３】
尚、上記実施形態では、上部ホルダー１が平面円形状の上面部３と該上面部３から立ち下がり形成された周面部４とからなり、下面側が開口面である形態とされていたが、上部ホルダー１の形態は該実施形態に限定されるものではない。また、下部ホルダー２は、平面円形状の底面部５と該底面部５から立ち上がり形成された周面部６とからなり、上面側が開口面である形態とされていたが、下部ホルダー２の形態も該実施形態に限定されない。
【００４４】
ただし、上部ホルダー１と下部ホルダー２のうち、いずれか一方を他方に対して回転させうるような形態とする必要がある。
【００４５】
さらに、該実施形態では、上部ホルダー１及び下部ホルダー２ともに全体が合成樹脂で構成されていたが、上部ホルダー１及び下部ホルダー２の材質が該実施形態に限定されない。
【００４６】
さらに、上記実施形態では、上部ホルダー１の上面部３の中央に円形の孔７を穿設し、該孔７の周囲に湾曲した細長い楔形状の多数のスリット８を穿設し、上部ホルダー１の周面部４に細長い長方形状の多数のスリット９を穿設し、これら孔７及びスリット８、９を開口部としたが、上部ホルダー１に形成される開口部の形状も上記実施形態に限定されるものではない。
【００４７】
同様に、下部ホルダー２の開口部の形状も、該実施形態の孔１０やスリット１１、１２のような形状のものに限定されない。
【００４８】
さらに、上記実施形態では、上部ホルダー１の周面部４のスリット９と、下部ホルダー２の周面部６のスリット１２とを連通させて収納器の開口部の総開口面積を調節しうる構成としたが、このようなスリット９、１２以外の開口部を連通させる構成としてもよい。      
【００４９】
さらに、スリット８、９、１１、１２の数も、上記実施形態に限定されないが、多数形成されている方が、開口部の総開口面積の微調整が行い易いという利点がある。
【００５０】
尚、本考案は、上述のように尿石付着防止剤の収納器に適用することを主眼とするものであるが、尿石付着防止剤以外の徐溶性薬剤の収納器に適用することも可能である。
【産業上の利用可能性】
【００５１】
本考案は、男子用小便器の排水部分に尿石が付着するのを防止する尿石付着防止剤、その他の徐用性薬剤を収納する収納器に広く適用することができる。
【図面の簡単な説明】
【００５２】
【図１】一実施形態としての尿石付着防止剤用収納器の上部ホルダーを示す斜視図。
【図２】同尿石付着防止剤用収納器の下部ホルダーを示す斜視図。
【図３】上部ホルダーと下部ホルダーを嵌合した状態の正面図。
【図４】同嵌合状態の平面図。
【図５】図３のＡ−Ａ線端面図。
【図６】図３のＢ−Ｂ線端面図。
【図７】図３のＣ−Ｃ線端面図。
【図８】図４のＤ−Ｄ線端面図。
【図９】上部ホルダーと下部ホルダーの嵌合状態の斜視図。
【図１０】上部ホルダー、下部ホルダー、尿石付着防止剤を分解して示す斜視図。
【図１１】上部ホルダーと下部ホルダーとの周面部のスリットを閉塞させた状態の斜視図。
【図１２】同スリットを閉塞させた状態の端面図。
【図１３】便器に尿石付着防止剤用収納器を設置した状態の外観斜視図。
【符号の説明】
【００５３】
１…上部ホルダー            ２…下部ホルダー
３…上面部                  ４…周面部
５…底面部                  ６…周面部
７…孔                      ８…スリット
９…スリット              １０…孔
１１…スリット              １２…スリット
【図１】
0003107661.tif 000003
【図２】
0003107661.tif 000004
【図３】
0003107661.tif 000005
【図４】
0003107661.tif 000006
【図５】
0003107661.tif 000007
【図６】
0003107661.tif 000008
【図７】
0003107661.tif 000009
【図８】
0003107661.tif 000010
【図９】
0003107661.tif 000011
【図１０】
0003107661.tif 000012
【図１１】
0003107661.tif 000013
【図１２】
0003107661.tif 000014
【図１３】
0003107661.tif 000015